(57)【要約】【課題】  商品に対して大きく出っ張ることがなく、簡素な構成で商品をガタツキ無く収容することができ、しかも商品を効率よく見せることができる包装容器を提供する点にある。【解決手段】  内容物が充填された容器１を収容するシート状部材からなる包装本体２が、底部６とこの底部６から上方へ延びて容器１の少なくとも下側周面を覆うと共に下側周面に沿ったほぼ同形に構成された筒状の胴部７とを備え、胴部７の上端のうちの特定箇所から上方へ延出した延出部１９を備え、延出部１９に包装本体２に収容された容器１の上端の少なくとも一部に接当して容器１の上方側への移動を阻止するための接当部２２を備えさせ、包装本体２に収容された容器１の外面のうち、前面から後面に渡る特定範囲の上部を露出するための切欠きＫを胴部７の上端と延出部１９の横側端とで形成した。【選択図】        図１
2006298388.tif 000002
【特許請求の範囲】
【請求項１】
内容物が充填された容器を収容するシート状部材からなる包装本体が、底部とこの底部から上方へ延びて該容器の少なくとも下側周面を覆うと共に該下側周面に沿ったほぼ同形に構成された筒状の胴部とを備え、前記胴部の上端のうちの特定箇所から上方へ延出した延出部を備え、前記延出部に前記包装本体に収容された容器の上端の少なくとも一部に接当して該容器の上方側への移動を阻止するための接当部を備えさせ、前記包装本体に収容された容器の外面のうち、前面から後面に渡る特定範囲の上部を露出するための切欠きを前記胴部の上端と前記延出部の横側端とで形成してなる包装容器。
【請求項２】
内容物が充填された容器を収容するシート状部材からなる包装本体が、底部とこの底部から上方へ延びて該容器の少なくとも下側周面を覆うと共に該下側周面に沿ったほぼ同形に構成された筒状の胴部とを備え、前記胴部の上端のうちの特定箇所から上方へ延出した延出部を備え、前記延出部に前記包装本体に収容された容器の上端の少なくとも一部に接当して該容器の上方側への移動を阻止するための接当部を備えさせ、前記包装本体に収容された容器の外面のうち、前面及び後面のうちの少なくとも一方の面の特定範囲の上部を露出するための切欠きを前記胴部の上端と前記延出部の横側端とで形成してなる包装容器。
【請求項３】
前記シート状部材が紙からなり、その紙を折り曲げて組み立ててなる請求項１又は２に記載の包装容器。
【請求項４】
前記延出部が、前記包装本体の左右方向両端のうちのいずれか一方に備えさせた前後一対の帯状部からなる請求項１又は２又は３に記載の包装容器。
【請求項５】
前記切欠きを、前記包装本体に収容された容器の上下方向ほぼ上半分以上を露出する範囲に設定してなる請求項１〜４のいずれかに記載の包装容器。
【請求項６】
前記容器がそれの上下方向に長い縦長状に構成され、前記包装本体に上下姿勢で収容されてなる請求項１〜５のいずれかに記載の包装容器。
【請求項７】
前記包装本体の延出部を構成する後側の帯状部に、該包装本体に収容された容器の裏面のほぼ全域に接触する裏側部を連設してなる請求項４に記載の包装容器。
【請求項８】
前記容器がキャップを下にして起立可能なチューブ容器からなる請求項１〜７のいずれかに記載の包装容器。
【発明の詳細な説明】
【技術分野】
【０００１】
本発明は、食品、歯磨き、洗剤、シャンプー、リンス等の内容物が充填された容器を収容して商品展示を行うための包装容器に関する。
【背景技術】
【０００２】
従来から、容器の一例であるチューブ容器（商品）を店頭等に陳列したときに、商品が目立つようにスタンディング姿勢のチューブ容器の上端のシールエンド部からはみ出した状態で商品説明用や広告宣伝用あるいは装飾用のラベル（ＰＯＰラベルとも言う）の一端を貼り付けている。このようなラベルは、近年多数の商品に貼り付けられて用いられているため、他のものとの差別化が小さく、インパクトそのものがなくなってきているだけでなく、例えば運搬中に剥がれるトラブル回避のためにラベルそのものを大きくできないことから、多くの情報を記載（印刷）することができないこともある。また、商品をシュリンク包装にて包装し、そのシュリンクに情報を印刷したものもあるが、そのシュリンクに印刷された情報が見難いため、実用性に乏しいものである。
前記不都合を解消するものとして、商品の一部（ほぼ中心部）を直接見ることができる開口（窓）が形成された箱に商品を収容したものがある。これは、対角四角壁よりなる角筒を厚紙等で形成し、この角筒の上下縁に開閉自在な蓋及び底壁を連設し、各側壁に窓を開口し、かつ、各側壁の上縁と下縁とを対角線上に結ぶ折り目線を形成した箱である（例えば、特許文献１参照）。
【特許文献１】特開昭４７−２２２７９号公報（図１〜図４参照）
【発明の開示】
【発明が解決しようとする課題】
【０００３】
上記箱は商品よりも一回りも二回りも大きくなり、取扱面（運搬面）や保管面において不利になってしまう。また、収容した商品が箱に対してガタツキ無く保持させるようにするためには、箱を精度よく作製しなければならないだけでなく、位置保持させるための構成が余分に必要となり、構成が複雑になるだけでなく、コスト高になる不都合もあり、改善の余地があった。
【０００４】
本発明が前述の状況に鑑み、解決しようとするところは、商品に対して大きく出っ張ることがなく、簡素な構成で商品をガタツキ無く収容することができ、しかも商品を効率よく見せることができる包装容器を提供する点にある。
【課題を解決するための手段】
【０００５】
本発明は、前述の課題解決のために、内容物が充填された容器を収容するシート状部材からなる包装本体が、底部とこの底部から上方へ延びて該容器の少なくとも下側周面を覆うと共に該下側周面に沿ったほぼ同形に構成された筒状の胴部とを備え、前記胴部の上端のうちの特定箇所から上方へ延出した延出部を備え、前記延出部に前記包装本体に収容された容器の上端の少なくとも一部に接当して該容器の上方側への移動を阻止するための接当部を備えさせ、前記包装本体に収容された容器の外面のうち、前面から後面に渡る特定範囲の上部を露出するための切欠きを前記胴部の上端と前記延出部の横側端とで形成してなる包装容器である。又、内容物が充填された容器を収容するシート状部材からなる包装本体が、底部とこの底部から上方へ延びて該容器の少なくとも下側周面を覆うと共に該下側周面に沿ったほぼ同形に構成された筒状の胴部とを備え、前記胴部の上端のうちの特定箇所から上方へ延出した延出部を備え、前記延出部に前記包装本体に収容された容器の上端の少なくとも一部に接当して該容器の上方側への移動を阻止するための接当部を備えさせ、前記包装本体に収容された容器の外面のうち、前面及び後面のうちの少なくとも一方の面の特定範囲の上部を露出するための切欠きを前記胴部の上端と前記延出部の横側端とで形成してなる包装容器であってもよい。
上記のように容器の少なくとも下側周面に沿ったほぼ同形のシート状部材から包装本体を構成することによって、包装本体にて容器をガタツキ無く確実に収容することができながらも、包装本体が容器から大きく出っ張ることがない。又、容器の上端の少なくとも一部に接当する接当部にて容器の上方側への移動を接当阻止することによって、上下方向において容器が包装本体の上方から飛び出すことがなく、容器を確実に保持することができる。しかも、前面から後面に渡る特定範囲又は前面及び後面のうちの少なくとも一方の面の特定範囲の上部を露出するための切欠きを通して容器（商品）そのものも確認することができながらも、包装本体に必要十分な商品説明や広告宣伝などを記載（印刷）して商品アピール度を高めることができる。
【０００６】
前記シート状部材が紙からなり、その紙を折り曲げて組み立てて、包装容器を構成してもよい。
【０００７】
前記延出部を、前記包装本体の左右方向両端のうちのいずれか一方に備えさせた前後一対の帯状部から構成してもよい。
【０００８】
前記切欠きを、前記包装本体に収容された容器の上下方向ほぼ上半分以上を露出する範囲に設定してもよい。
【０００９】
前記容器がそれの上下方向に長い縦長状に構成され、前記包装本体に上下姿勢で収容されてもよい。
【００１０】
前記包装本体の延出部を構成する後側の帯状部に、該包装本体に収容された容器の裏面のほぼ全域に接触する裏側部を連設してもよい。
【００１１】
前記容器がキャップを下にして起立可能なチューブ容器から構成してもよい。
【発明の効果】
【００１２】
容器の少なくとも下側周面に沿ったほぼ同形のシート状部材から包装本体を構成することによって、簡素な構成の包装本体にて容器をガタツキ無く確実に収容することができながらも、包装本体が容器から大きく出っ張ることがなく、取扱面及び保管面において有利になる。また、製作精度も必要以上に高める必要がなく、製造面においても有利になる。又、容器の上端の少なくとも一部に接当する接当部にて容器の上方側への移動を接当阻止することによって、上下方向において容器が包装本体の上方から飛び出すことがなく、容器を確実に保持することができ、運搬時やハンドリング時に容易に取り扱うことができる。しかも、前面から後面に渡る特定範囲又は前面及び後面のうちの少なくとも一方の面の特定範囲の上部を露出するための切欠きを通して容器（商品）そのものも効率よく見せて確認することができながらも、包装本体に必要十分な商品説明や広告宣伝などを記載（印刷）して商品アピール度を高めることができる販売面において有利となる包装容器になる。
【００１３】
シート状部材が紙からなり、その紙を折り曲げて組み立てて、包装容器を構成することによって、包装容器自体の保形性を確保して、収容する容器が安定性のないものであっても、安定良く商品の陳列を行うことができる利点がある。又、紙の場合は廃棄処分がし易い利点もある。
【００１４】
延出部を、前記包装本体の左右方向両端のうちのいずれか一方に備えさせた前後一対の帯状部から構成することによって、包装本体の左右方向中央に延出部を備えさせる場合に比べて、容器（商品）の内容が集中的に記載されている中央部を見せて容器を直ちに確認することができる利点がある。
【００１５】
切欠きを、前記包装本体に収容された容器の上下方向ほぼ上半分以上を露出する範囲に設定する場合には、容器をより明確に把握することができる。
【００１６】
包装本体の延出部を構成する後側の帯状部に、包装本体に収容された容器の裏面のほぼ全域に接触する裏側部を連設することによって、包装本体の保形強度を高めることができると共に情報などを記載する面積を増大させることができる。
【００１７】
容器がキャップを下にして起立可能なチューブ容器から構成する場合には、シート状部材が保形性を有しないものであっても、チューブ容器のキャップにて起立姿勢を保持することができ、包装本体を合成樹脂などの柔軟性（可撓性）を有する材料から作製することもでき、包装容器の形態を拡大することができる。
【発明を実施するための最良の形態】
【００１８】
図１（ａ），（ｂ）及び図２に、チューブ容器１をガタツキ無く収容して商品展示を行うための包装容器２が示されている。前記チューブ容器１には、例えば歯磨き、洗顔クリーム、洗剤、シャンプー、リンス等の化粧料、軟膏等の医薬品の他、練りわさびや練りからし等の食品など、各種の内容物が充填されることになる。
【００１９】
ここでは、容器の一例として、上下方向に長い縦長状のチューブ容器１を示しているが、上下寸法と左右寸法とがほぼ同一のものであってもよいし、又、左右寸法に長い横長状のものであってもよいし、あるいはチューブ容器以外の他の形態を有する各種の容器であってもよい。前記チューブ容器１について詳述すれば、一端（図では上端）に偏平な板状で端面が一直線状のチューブエンドシール部３を備えたチューブ本体４の他端（図では下端）の注入口にチューブ本体４の最大直径よりも少し小さな直径を有する円形で端面がほぼフラットなキャップ５を取り付けている。従って、図１（ａ），（ｂ）及び図２に示すように、キャップ５を下に向けた立ち姿勢で安定して保持可能（起立可能）な、所謂スタンディングタイプを構成しているが、他の形態のものであってもよい。又、ここでは、キャップ５を下向きにして包装容器２に収容した場合を示しているが、場合によっては、キャップ５が上向きとなる不安定姿勢で包装容器２に収容して実施することもできる。
【００２０】
前記包装容器２は、図４に示すように、一枚のコートボール紙（印刷効果を良くするために印刷面を白くコートした紙のこと、シート状部材）を折り込んで完成させることができるようになっている。前記包装容器２を構成するシート状部材の材料は、コートボール紙の他、段ボール紙、ボール紙（板紙）などの各種の紙の他、ＰＥＴ製やＰＰ製などの透明、半透明あるいは不透明な合成樹脂製シートを用いてもよい。前記包装容器２を構成するコートボール紙は、底部６とこの底部６から上方へ延びて前記容器１の下側周面を覆うと共に下側周面に沿ったほぼ同形に構成された円筒状の胴部７とを主要構成部としている。ここでは、一枚の紙にて包装容器２を組み立てる構成にすることによって、組み立て作業面や在庫管理面において有利になるが、複数枚の紙又は合成樹脂にて包装容器２を組み立てるようにしてもよい。
【００２１】
図１〜図４に示すように、前記胴部７は、前記チューブ容器１の上下方向ほぼ半分の前側下方を覆う前側部８と、上下方向の折り曲げ線９を介して連設され、かつ、チューブ容器１の上下方向ほぼ半分の後側下方を覆う後側部１０とからなっている。前記胴部７を構成する前側部８及び後側部１０の上端のうち、前記折り曲げ線９を挟んで両側に位置する箇所に、上方へ延出した前後一対の帯状部１７，１８を備えさせて、該胴部７の上端のうちの特定箇所から上方へ延出した延出部１９を構成し、前記延出部１９に包装本体２に収容された容器の上端の少なくとも一部に接当して容器の上方側への移動を接当阻止するための後述する接当部２２を備えさせている。そして、前記後側の帯状部１８の横側端から水平方向に延出され、かつ、前記後側部１０の上端から上方に該後側部１０の左右幅よりも幅狭に構成された裏側部１１を備えている。前記底部６は、前記胴部７の下端に連接された３枚の矩形状（長方形）の蓋部材１２，１３，１４からなり、左右両側の蓋部材１２，１３を折り曲げてから、中央に位置する蓋部材１４を折り曲げると共に該蓋部材１４の先端に備える差込片部１４Ａを折り曲げ線１４Ｂを介して折り曲げ、差込片部１４Ａを胴部７に差し込むことによって、胴部７の下端部開口を閉塞することができるようになっているが、他の構成であってもよい。図に示す８Ｂは、前記後側部１０に遊端部内面に糊付けして、胴部７を円筒状にするために前側部８の遊端部に備えさせた接合部であるが、後側部１０に前側部８を係止により連結する構成であってもよい。又、図に示す１５，１６は、底部６が矩形状であるために、４つの角部のうちの２つの角部を無くして胴部７をほぼ円筒状に構成するための前側部８及び後側部１０に形成した折り曲げ線であるが、底部６が円形にて構成している場合には、これら折り曲げ線１５，１６は、必要ないことになる。前記底部６は、矩形状の他、円形、楕円形あるいは多角形など、どのような形状であってもよいが、胴部７を、チューブ容器１の胴体部の周面に沿ったほぼ同形に構成することになる。又、前記包装容器２を組み立てるときに、前記底部６が下方に倒れてワンタッチで形成されるものであってもよい。
【００２２】
又、前記延出部１９を構成する前側の帯状部１７の上端から上方に延出して１本の折り曲げ線２０Ａで山折り自在な第１折り曲げ部２０と、延出部１９を構成する後側の帯状部１８の上端横側部から水平方向に延出して折り曲げ線２１Ａで山折り自在な第２折り曲げ部２１とを備え、一方の折り曲げ部２０を折り曲げてから、他方の折り曲げ部２１を折り曲げて重ね合った部分を糊付けにより両者を固定することで、チューブ容器１のチューブエンドシール部３の角部に接当してチューブ容器１の上方側への移動を接当阻止する接当部２２を構成している。従って、図３に示すように、底部６が組み立てられた状態の包装容器２に上方から容器１を入れてから折り曲げ部２０，２１を折り曲げて接着固定することによって、容器１の包装容器２への収容を完了させることができる。尚、両折り曲げ部２０，２１を接着固定した後、包装容器２の下方から容器１を包装容器２内に入れてから、蓋部材１４にて閉塞することもできる。前記接当部２２を糊付けにより構成する他、粘着テープなどの貼り合わせ手段により構成する他、係止手段、差し込み手段などにより構成してもよいし、折り曲げるだけで接当部２２を構成するものであってもよい。ここでは、前記延出部１９を正面視において右側に配置したが、左側であってもよいし、場合によっては左右方向ほぼ中央に配置してもよい。又、前記延出部１９を前後一対の帯状部１７，１８から構成したが、一方を長くし、それの先端を胴部７に係止又は接着剤により固定する構成であってもよい。
【００２３】
従って、図４に示すように、用意されたコートボール紙を、まず折り曲げ線９で折り曲げると共に前側部８の接合部８Ｂを後側部１０の遊端部に糊付けして、筒状にし、底部６を閉じた状態にする（図３参照）。この状態から、チューブ容器１をキャップ５を下向きにして包装容器２に上方から入れた後、折り曲げ部２０，２１を係止させてチューブ容器１の包装容器２への収容が完了するようになっている。尚、これとは逆に、先に折り曲げ部２０，２１を係止させてから、チューブ容器１をチューブエンドシール部３側から包装容器２の底部６側から入れた後、底部６を閉じるようにしてもよい。前記折り曲げ線１５，１６を折り曲げる時期は、どのようなタイミングであってもよい。
このように包装容器２にチューブ容器１を入れた状態では、包装容器２を構成する前側の帯状部１７の横側端１７Ａと、前側部８の上端８Ａと、後側部１０の上端１０Ａと、裏側部１１の横側端１１Ａとで形成される切欠きＫを通してチューブ容器１そのものを見たり、チューブ容器１の外面に印刷された情報を見ることにより、容器１の形態や容器１の内容を即座に確認することができる。図１〜図４で示した切欠きＫは、容器１の外面のうち、前面の右端以外ほぼ全部と、その前面から後面の正面視左側端に渡る特定範囲の上部を露出するようにしているが、容器１の外面のうち、前面の特定範囲（一部であってもよいし、全域であってもよい）の上部のみを露出してもよいし、後面の特定範囲（一部であってもよいし、全域であってもよい）の上部のみを露出してもよい。
【００２４】
又、図５では、図１〜図４で示した包装容器２の裏側部１１を省略すると共に、後側部１０にも切欠きを形成してさらに簡素な包装容器２に構成するだけでなく、容器１の露出面積を増大するようにしてもよいが、図に示す以外の構成であってもよい。前記切欠きＫは、後側の帯状部１８の横側端１８Ａと、後側部１０の上端１０Ａと、該後側の帯状部１８とは反対側の角部に上方に延びる第２延出部２３の横側端２３Ａ及び上端２３Ｂと、前側の帯状部１７の横側端１７Ａと、前側部８の上端８Ａとで形成されている。
【図面の簡単な説明】
【００２５】
【図１】容器が収容された包装容器を示し、（ａ）はそれの正面図、（ｂ）はそれの側面図である。
【図２】容器が収容された包装容器の斜視図である。
【図３】容器を包装容器にそれの上方から入れる直前の状態を示す斜視図である。
【図４】包装容器を組み立てる前のコートボール紙を示す展開図である。
【図５】別の包装容器を示す裏側から見た斜視図である。
【符号の説明】
【００２６】
１  チューブ容器
２  包装本体
３  チューブエンドシール部
４  チューブ本体
５  キャップ
６  底部
７  胴部
８Ａ  上端
８Ｂ  接合部
８  前側部
９  折り曲げ線
１０  後側部
１０Ａ  上端
１１Ａ  横側端
１１  裏側部
１２，１３，１４  蓋部材
１４Ａ  差込片部
１４Ｂ  折り曲げ線
１５，１６  折り曲げ線
１７Ａ  横側端
１７  帯状部
１８Ｋ  横側端
１８  帯状部
１９  延出部
２０Ａ  折り曲げ線
２０  折り曲げ部
２１  折り曲げ部
２１Ａ  折り曲げ線
２２  接当部
２３  第２延出部
２３Ａ  横側端
２３Ｂ  上端
【図１】
2006298388.tif 000003
【図２】
2006298388.tif 000004
【図３】
2006298388.tif 000005
【図４】
2006298388.tif 000006
【図５】
2006298388.tif 000007